(57)【要約】      （修正有）【課題】着座時であっても、大腿部の開きを防止して姿勢を正しく安定保持すると共に、車椅子等で移動する際にも身体を固定することで落下の危険性を防ぎ、使用者の安全性を、個人差を問わずに要望に応じて快適に確保できる大腿部安定化保持具を提供する。【解決手段】大腿部の座面側及び側面側を支え、椅子の肘置に取り付け可能な大腿部支持体１と、大腿部の上面側に位置し、大腿部を保持するベルト状の大腿部保持体２とを有し、大腿部支持体１が、大腿部の座面側を支える座面支持部１１ａと、側面側を支える側面支持部１１ｂとを有し、大腿部保持体２が長さ調整可能であって、両端部を、大腿部支持体１に対して移動自在に組み合わせることで、使用者の個人差に対応して、大腿部の座面側及び側面側における大腿部支持体との接触面積を調整可能にした。【選択図】図１
0003199808.tif 000002
【実用新案登録請求の範囲】
【請求項１】
大腿部の座面側及び側面側を支え、椅子の肘置に取り付け可能な大腿部支持体と、
大腿部の上面側に位置し、大腿部を保持するベルト状の大腿部保持体とを有し、
前記大腿部支持体が、大腿部の座面側を支える座面支持部と、側面側を支える側面支持部とを有し、
前記大腿部保持体が長さ調整可能であって、両端部を、前記大腿部支持体に対して移動自在に組み合わせることで、使用者の個人差に対応して、大腿部の座面側及び側面側における大腿部支持体との接触面積を調整可能にしたことを特徴とする、
大腿部安定化保持具。
【請求項２】
前記大腿部支持体が、座面支持部及び側面支持部を有する大腿部支持帯と、肘置取り付け用の環状部を形成可能な固定ベルトとで形成され、
該固定ベルトが、側面支持部に連続して形成されていることを特徴とする、請求項１に記載の大腿部安定化保持具。
【請求項３】
前記大腿部保持体が、バックルによって開閉自在な保持ベルトの両端に、移動カンを取り付け、該移動カンを前記固定ベルトに対して、移動自在に組み合わせたものであることを特徴とする、請求項２に記載の大腿部安定化保持具。
【考案の詳細な説明】
【技術分野】
【０００１】
本考案は大腿部安定化保持具に関し、詳細には、肘掛け付きの椅子や車椅子等に着座時、大腿部の開きを防止して姿勢を正しく安定保持すると共に、落下防止機能を有する器具に関する。
【背景技術】
【０００２】
椅子等に着座時、大腿部の開きを防止して姿勢を正しく安定保持する器具としては、特許文献１に、大腿部に下に敷く帯状の座面部と、座面部の両端にそれぞれ続き、大腿部の側方への移動を制止するように形成されたＬ字状折曲部とを有するものが開示されている。
【０００３】
また、特許文献２には、腰掛けるだけで整体可能な椅子をパーツに分け、単独でもセットでも使用できるようにすることで、左右の筋力差・アンバランス化を予防・調整するための器具が開示されている。
【考案の概要】
【考案が解決しようとする課題】
【０００４】
しかしながら、該特許文献１に記載の器具及び特許文献２に記載の器具は、いずれも車椅子で使用した場合に、それらの器具によって身体自体を保持し、落下防止機能を有するものではないので、移動の際に使用者や介助者が落下の不安を感じる場合があった。
【０００５】
さらに、車椅子で移動する場合に、特に路面の状況によって身体が大きく揺さぶられ、身体が固定されないことによる危険性を感じる場合があり、身体を安全な状態に保つことが、介助者の精神的肉体的な負担になることが多かった。
【０００６】
また、特許文献２に記載の器具は、個人差が大きい大腿部を入れる部分の大きさが固定されており、窮屈に感じられた場合には、長時間、大腿部を締め付けられることになり、血行が阻害され、不快に感じられる場合があった。
逆に、隙間が大きいと感じられた場合には、両足を揃えて閉じた状態に維持するには大腿部の内側の筋肉に力を入れる必要があり、本来の効果を生じることができないという課題があった。
ここで、特許文献２に記載の器具においては、大中小などの複数のサイズの物を用意し、使用者の大腿部の大きさに合わせて用いることで、締め付け強度を変えることも可能ではあるが、長時間の使用中に締め付け強度を変えたいと望んでも、容易に調整することができなかった。
【０００７】
従って、本考案が解決しようとする課題は、着座時であっても、大腿部の開きを防止して姿勢を正しく安定保持すると共に、車椅子等で移動する際にも身体を固定することで落下の危険性を防ぎ、使用者の安全性を、個人差を問わずに要望に応じて快適に確保できる器具を提供することにある。
【課題を解決するための手段】
【０００８】
本考案の課題を解決するための手段は、下記のとおりである。
【０００９】
第１に、
大腿部の座面側及び側面側を支え、椅子の肘置に取り付け可能な大腿部支持体と、
大腿部の上面側に位置し、大腿部を保持するベルト状の大腿部保持体とを有し、
前記大腿部支持体が、大腿部の座面側を支える座面支持部と、側面側を支える側面支持部とを有し、
前記大腿部保持体が長さ調整可能であって、両端部を、前記大腿部支持体に対して移動自在に組み合わせることで、使用者の個人差に対応して、大腿部の座面側及び側面側における大腿部支持体との接触面積を調整可能にしたことを特徴とする、
大腿部安定化保持具。
ここで、大腿部の座面側とは、椅子に座った状態で、椅子の座面に接触する大腿部の下面部分のことをいう。
第２に、
前記大腿部支持体が、座面支持部及び側面支持部を有する大腿部支持帯と、肘置取り付け用の環状部を形成可能な固定ベルトとで形成され、
該固定ベルトが、側面支持部に連続して形成されていることを特徴とする、前記第１に記載の大腿部安定化保持具。
ここで、大腿部支持帯は、大腿部に圧迫感や不快感を与えないような接触面積を有する布状物で形成することができるが、幅や材質等は特に限定されるものではない。
また、大腿部支持帯は、固定ベルトと一体の大腿部支持ベルトで形成し、該大腿部支持ベルトの大腿部との接触面に圧迫防止用のクッション等を取り付けることで、大腿部に圧迫感や不快感を与えないような接触面積を有するものとして形成することもできる。
第３に、
前記大腿部保持体が、中央部分に設けたバックルによって開閉自在な保持ベルトの両端に、移動カンを取り付け、該移動カンを前記固定ベルトに対して、移動自在に組み合わせたものであることを特徴とする、前記第２に記載の大腿部安定化保持具。
【考案の効果】
【００１０】
本考案の大腿部安定化保持具によれば、以下の効果を奏することができる
【００１１】
椅子の肘置に取り付け可能な大腿部支持体により、大腿部の座面側及び側面側を支えることができるので、着座時であっても、大腿部の開きを防止して姿勢を正しく安定保持することができる。
また、大腿部の上面側に、大腿部を保持するためのベルト状の大腿部保持体が位置し、該大腿部保持体の両端部が大腿部支持体に対して移動自在に組み合わせられているので、使用者の体格に応じて調整して大腿部の保持が可能となり、車椅子等で移動する際にも身体を固定することで落下の危険性を防ぎ、使用者の安全性を、個人差を問わずに要望に応じて快適に確保できる。
さらに、本考案の大腿部安定化保持具は、容易に折り畳むことができ、携帯可能なものである。
【図面の簡単な説明】
【００１２】
【図１】本考案の大腿部安定化保持具を示す斜視図である。
【図２】図１に示す本考案の大腿部安定化保持具の使用状態を示す斜視図である。
【図３】図１に示す本考案の大腿部安定化保持具の表面側と裏面側を示す図である。
【図４】図１に示す本考案の大腿部安定化保持具の側面側を示す図である。
【図５】図１に示す本考案の大腿部安定化保持具の使用状態の要部を正面側から示す図である。
【図６】本考案の大腿部安定化保持具の他の実施形態を示す斜視図である。
【図７】図６に示す大腿部安定化保持具の使用状態を示す斜視図である。
【考案を実施するための形態】
【００１３】
以下、本考案を実施するための形態を、図面を参照しつつ具体的に説明する。
ここで、添付図面において同一の部材には同一符号を付しており、また重複した説明は省略されている。
なお、ここでの説明は本考案が実施される一形態であることから、本考案は該当形態に限定されるものではない。
【００１４】
図１から５に示す第１実施形態の大腿部安定化保持具は、大腿部支持体１と大腿部保持体２とから構成されている。
【００１５】
前記大腿部支持体１は、特に図５に示すように使用状態において大腿部の座面側を支える座面支持部１１ａ及び大腿部の側面側を支える側面支持部１１ｂを有する大腿部支持帯１１と、該大腿部支持帯１１の側面支持部１１ｂにおける三角台錐状部分に連続して、車椅子Ｂの肘置Ｂ１への取り付け用の環状部を形成可能な固定ベルト１２とで構成されている。
該大腿部支持帯１１は、使用者Ａの両大腿部を揃えた場合の幅より大きな長さを有し、大腿部に圧迫感や不快感を与えないような接触面を有する幅の布状物で形成されている。
【００１６】
図中１１ｃは、大腿部との接触面に通気性をもたせるために形成したメッシュ部である。
【００１７】
車椅子Ｂの肘置Ｂ１への取り付けは、大腿部支持帯１１の固定ベルト１２の先端側を肘置Ｂ１で折り返してから位置調整固定カン１３へ差し入れて環状部を形成することで行うことができる。
【００１８】
前記大腿部保持体２は、特に図５に示すように使用状態において大腿部の上面側に位置し、中央部分に設けたバックル２３によって長さ調整かつ開閉自在とした保持ベルト２１と、該保持ベルトの両端に取り付けた移動角カン２２とで形成されている。
該移動角カン２２は、前記大腿部支持帯１１の固定ベルト１２に取り付けられている。
その結果、大腿部保持体２は、大腿部支持体１に対して移動自在に組み合わせられている。
ここで、大腿部保持体２の長さを、バックル２３における保持ベルト２１の折り返し長さの調整によって行うことで、使用者Ａが車椅子Ｂに座った際に、大腿部の座面側及び側面側を支えた状態で大腿部が圧迫されないように、使用者Ａの体格に応じて自由に行うことができる。
【００１９】
次に、上記の大腿部安定化保持具の使用例について説明する。
【００２０】
大腿部支持帯１１の各側面支持部１１ｂに連続して形成された固定ベルト１２の先端側を、各々、車椅子Ｂの肘置Ｂ１で折り返し、位置調整固定カン１３に差し入れることで、環状部を形成する。
このようにして、該環状部を肘置Ｂ１に架けることで、大腿部安定化保持具の車椅子Ｂへの取り付けが完了する。
【００２１】
なお、図示は省略するが、肘置を有する椅子であれば、車椅子に限らず、設置できる。
また、肘置がない椅子の場合には、別途、肘置を取り付けることで、本考案の大腿部安定化保持具の使用が可能となる。
【００２２】
設置後、バックル２３を外した状態で、使用者Ａが車椅子Ｂに座り、足置Ｂ３に足を乗せることで、大腿部の座面側が肘置Ｂ２間に吊られた状態の座面支持部１１ａによって支えられる。
同時に、一対の側面支持部１１ｂが大腿部の自重によって互いに近づき、自然に大腿部を適切な力で両側から押すようになる。
ここで、使用者Ａの体格によって、大腿部の大きさが大小することがあるが、多少大きい場合でも小さい場合でも、両側の側面支部部１１ｂによる大腿部を抑える力が大きく変化することなく、一定の作用効果を発揮できる。
例えば、大腿部が太いと大腿部支持体１に作用する位置は外側になり側面支持部１１ｂが内部に向かう力が多少強くなり、大腿部が細いと大腿部支持体１に作用する位置は内側になり側面支持部１１ｂが内部に向かう力が多少弱くなる。
よって、大腿部を両側から押す力は大腿部の太さによって大きく変化せず、大腿部が太い人が特別窮屈であるとか、逆に大腿部の細い人が緩すぎるということがない。
すなわち、本考案に係る大腿部安定化保持具は、大腿部の自重が大腿部支持体１を押し下げる力で発生する張力により大腿部を固定するので、使用者の体格によらずに長時間の使用でも固定する力が変化することがない。
また、本考案に係る大腿部安定化保持具を、膝に近い位置で用いるか、股に近い位置で用いるかによっても、締め付け力が大幅に変化することがない。
【００２３】
更に、座った状態で、図５に示すように、使用者Ａの体格に応じて大腿部の座面側及び側面側において圧迫感や不快感を与えないように、保持ベルト２１の長さを調整することで、大腿部保持体２の長さを調整する。
【００２４】
調整後、バックル２３を閉めることで、大腿部の座面側及び側面側を支えることができるので、着座時であっても、大腿部の開きを防止して姿勢を正しく安定保持することができる。
また、大腿部の上面側には、大腿部保持体２が大腿部を使用者Ａの体格に応じて保持するので、移動の際にも身体を固定することで落下の危険性を防ぎ、使用者Ａの安全性を、個人差を問わずに要望に応じて快適に確保できる。
【００２５】
次に、図６から７に示す第2実施形態の腿部安定化保持具について、第１実施形態との相違点を中心に説明する。
【００２６】
図６から７に示す第２実施形態の大腿部安定化保持具は、大腿部支持体３と大腿部保持体２とから構成されている。
【００２７】
大腿部支持体３は、使用状態において大腿部の座面側を支える座面支持部３１ａ及び大腿部の側面側を支える側面支持部３１ｂを有する大腿部支持ベルト３１と、該大腿部支持ベルト３１の側面支持部３１ｂに連続して、車椅子Ｂの肘置Ｂ１への取り付け用の環状部を形成可能な固定ベルト１２とで構成されている。
該大腿部支持ベルト３１は、固定ベルト１２と一体に形成され、大腿部との接触面側には圧迫防止用のクッション３２が取り付けられている。
【００２８】
図６中、３３はクッション３２を椅子等に固定するためのクッション固定紐である。
【００２９】
次に、上記第２実施形態の大腿部安定化保持具の使用例について説明する。
【００３０】
大腿部支持ベルト３１の各側面支持部３１ｂに連続して形成された固定ベルト１２の先端側を、各々、車椅子Ｂの肘置Ｂ１で折り返し、位置調整固定カン１３に差し入れることで、環状部を形成する。
このようにして、該環状部を肘置Ｂ１に架けることで、大腿部安定化保持具の車椅子Ｂへの取り付けが完了する。
この際、クッション固定紐３３を車椅子Ｂの背面側のフレーム等に縛り付けることで、使用者Ａの使用状況による、大腿部安定化保持具の位置ずれを防止できるようになる。
【００３１】
設置後、バックル２３を外した状態で、使用者Ａが車椅子Ｂに座る。
座った状態で、使用者Ａの体格に応じて大腿部の座面側及び側面側において圧迫感や不快感を与えないように、保持ベルト２１の長さを調整することで、大腿部保持体２の長さを調整する。
【００３２】
調整後、バックル２３を閉めることで、大腿部の座面側及び側面側をクッション３２の広範囲の接触面によって支えることができるので、第一実施形態の大腿部安定化保持具よりも、更に快適に使用できる。
【符号の説明】
【００３３】
１  大腿部支持体
１１  大腿部支持帯
１１ａ  座面支持部
１１ｂ  側面支持部
１１ｃ  メッシュ部
１２  固定ベルト
１３  位置調整固定カン
２  大腿部保持体
２１  保持ベルト
２２  移動角カン
２３  バックル
３  大腿部支持体
３１  大腿部支持ベルト
３１ａ  座面支持部
３１ｂ  側面支持部
３２  クッション
３３  クッション固定紐
Ａ  使用者
Ｂ  車椅子
Ｂ１  肘置
Ｂ２  座面
Ｂ３  足置
【先行技術文献】
【特許文献】
【００３４】
【特許文献１】実用新案登録第３１２８１８７号公報
【特許文献２】実用新案登録第３０６７０６３号公報
【図１】
0003199808.tif 000003
【図２】
0003199808.tif 000004
【図３】
0003199808.tif 000005
【図４】
0003199808.tif 000006
【図５】
0003199808.tif 000007
【図６】
0003199808.tif 000008
【図７】
0003199808.tif 000009